(57)【特許請求の範囲】
【請求項１】
ケーシングの上部に送風機の周囲に熱交換コイルを固定配置し、ケーシングの下部開口部に開閉自在の中央パネルを配置した天井内に取り付けられる空気調和機において、
前記ケーシングの中央部には開口部に蓋体を取り付けた上下を隔てる仕切板を設け、
前記蓋体を前記仕切板の開口部に対して、該蓋体の一部に回動する回動移動手段を設けるとともに、該蓋体の上部には送風機の駆動モータとファンランナーとを一体的に取り付け、該蓋体を開口する際には、送風機の駆動モータとファンランナーとが下降して、該送風機の駆動モータとファンランナーと、前記熱交換コイルとが離れるようにしたことを特徴とする空気調和機。
【発明の詳細な説明】
【０００１】
【発明の属する技術分野】
本発明は、清掃・点検・保守作業が容易な天井内に取り付けられる空気調和機の技術分野に属する。
【０００２】
【従来の技術】
従来、天井内に取り付けられる空気調和機は、例えば、実開平2-137628号公報に示されるように、上部に熱交換コイルとその内側に送風機が配置され、この送風機はファン駆動モータやファンランナーから構成されているが、熱交換コイルを清掃や保守・点検するに際しては、箱体からパネル枠体を取り外してから、送風機のファン駆動モータやファンランナーを分解して取り除き、熱交換コイルの内側の汚れを清掃するのが普通であり、同様に、送風機の保守も取り外して分解していた。
また、簡易な熱交換コイルの清掃や保守点検の方法として、特許第2856210号公報で提案され、図３に示されるように、熱交換コイルaおよび送風機bの駆動モータcおよびファンランナーdを天板eに固定し、これらの下部にベルマウスfを配設するとともに、ベルマウスfを開閉自在にして清掃や点検時にはベルマウスfを吊り下げた状態とし、中央パネルｇも開閉自在として送風機bと熱交換コイルの清掃および送風機の保守・点検を行う空気調和機が知られている。
【０００３】
【発明が解決しようとする課題】
しかしながら、近時、空気調和機の保守作業が簡便であるという要望が高まっているが、前記の従来の天井据え付け型の空気調和機において、ファン駆動モータやファンランナーを分解し取り外す作業はやっかいな作業で、複数の人手と時間と手間を必要とするという問題点があった。
また、前記の特許第2856210号公報に示される技術は、ベルマウスを開閉自在して取り外すので、送風機の底面の清掃や保守点検は比較的に容易であるが、送風機の上面を含む全体は、やはり天板から取り外さなければ保守点検は困難であるという問題点があり、また、熱交換コイルの内側の清掃についても、熱交換コイルの内側に送風機が固定されていて邪魔になり、充分な清掃が行えないという問題点があった。
【０００４】
本発明は、上記の問題点に鑑みてなされたもので、その課題は、天井内に取り付けられる空気調和機において、ファンランナーや駆動モータ等の送風機全体の清掃・保守点検が短時間に簡易にでき、また、熱交換コイルの内側の清掃や保守点検が短時間に簡易にできる空気調和機を提供することにある。
【０００５】
【課題を解決するための手段】
上記の課題を解決するために、請求項１の発明は、ケーシングの上部に送風機の周囲に熱交換コイルを固定配置し、ケーシングの下部開口部に開閉自在の中央パネルを配置した天井内に取り付けられる空気調和機において、前記ケーシングの中央部には開口部に蓋体を取り付けた上下を隔てる仕切板を設け、前記蓋体を前記仕切板の開口部に対して、該蓋体の一部に回動する回動移動手段を設けるとともに、該蓋体の上部には送風機の駆動モータとファンランナーとを一体的に取り付け、該蓋体を開口する際には、送風機の駆動モータとファンランナーとが下降して、該送風機の駆動モータとファンランナーと、前記熱交換コイルとが離れるようにした空気調和機である。
その作用は、送風機の上部を含めた全体の清掃・保守点検が一人でも短時間に簡易にでき、また、熱交換コイルの内側に広い空間を確保できて、熱交換コイルの内側の清掃や保守点検が短時間で簡易に、且つ、充分にできることである。
【０００６】
【発明の実施の形態】
本発明の好適な空気調和機の１実施例を図面に沿って説明する。
図１および図２に示すように、本実施例は、天井Aに空気調和機のケーシング１を据え付けるが、下方を開口するケーシング１内の外周囲に冷暖房した空気を室内に送風する送風路2を形成し、このケーシング１内の上部空間の送風路2に連通して、ケーシング１、即ち空気調和機の上部の内周に環状に熱交換コイル3を固定配置し、その上下空間のほぼ中央部には上下を隔てる仕切板4を設け、仕切板4の開口部41に蓋体5を揺動開閉自在に設け、この蓋体5の上部には、送風機6を形成するファンランナー61とファンランナー61を駆動するモータ62と吸気案内であるインレットコーン63とを一体的に取り付け、蓋体5の一部には回動支持機構51を設けて、蓋体5は回動支持機構51の支持軸42を中心にして仕切板4に対して回動するように構成される。
そして、稼働時には、ケーシング1、即ち、空気調和機の上部に配置された送風機6が、４角形の環状の熱交換コイル3内側のほぼ中央に位置し、室内の空気は中央パネル72の側面からから吸い上げられ、前記インレットコーン63から送風機6のファンランナー61によって熱交換コイル3に送られ、この空気は熱交換コイル3に接して冷房あるいは暖房されて送風路2に送り出され、送風路2を通過して吹出し口73から室内に供給される。
【０００７】
また、ケーシング1(空気調和機)の下部の天井位置での下部開口部7のパネル枠体71はケーシング１の天井A部分に取付けられるが、このパネル枠体71には回動軸74を中心にして回動開閉自在な中央パネル72が取付けられ、組み立てた際に蓋体5と中央パネル72との中間にはロングライフフィルター8が着脱自在に設けられている。
なお、この空気調和機の下部のロングライフフィルター8は、本出願人が既に特開平9-4874号公報として提案しているように、開閉自在の中央パネル72と一体的にして操作を簡便にしても良い。
前記の仕切板4に蓋体5を固定する固定手段52として、蓋体5には駆動モータ62やファンランナー61の重量物が取り付けられているので、支持軸42以外の適所にはボルト・ナットの固着具521で重量物を支持するとともに、片手で操作しうる構造である閂状の固着具522とを併用した固定手段52が採用され、蓋体5を下方に脱離する際には、先ず、ボルト・ナットの固着具521を外し、その状態でも閂状の固着具522が完全な密封状態ではないものの蓋体5と係合しているから、片手で蓋体5を押さえつつ、もう一方の手で閂状の固着具522を外すようにすれば、１人でも無理なく蓋体５を開口できる。
なお、この重量物である蓋体5の開閉には、仕切板4と蓋体5との間にシリンダー等のショックアブソーバーを配置して、手が離れても蓋体5が静かに下降する構成にすれば良い。
【０００８】
[作用]
本実施例は上記のような構成であるので、その作用は、清掃・点検の保守作業に際し、インレットコーン63とファンランナー61と駆動モータ62とが下方に一体で吊り下がるから、送風機のファンランナー61、モータ62、および、インレットコーン63の全体を１人でも充分に清掃でき、保守・点検作業が容易に細かな点まで充分にでき、また、熱交換コイル3から中央のファンランナー61および駆動モータ62が取り払われた状態となって、熱交換コイル3の内側も広い空間が確保できるので、熱交換コイル3の清掃や保守点検作業も１人でも細部まで容易に確実にできる。
【０００９】
なお、本発明の特徴を損うものでなければ、上記の実施例に限定されるものでないことは勿論である。例えば、蓋体5の開閉には上方に収縮するコイルばねを用いてもよく、本実施例の熱交換コイルは４角形の環状に配置したが、円形で環状に配置してもよい。
また、本実施例の空気調和機の下部の中央パネルも回動開閉自在でパネル枠体から離脱できる回動離脱手段を設けたが、従来の下方に脱離するような構成にしてもよい。
【００１０】
【発明の効果】
以上説明したように、本発明は、送風機の周囲に熱交換コイルを配置した天井内に取り付けられる空気調和機において、送風機の駆動モータとファンランナーとを一体にして蓋体に取り付け、これら蓋体と送風機とを回動自在として熱交換コイルから離すように移動する回動移動手段を設けたから、送風機の上面を含めた全体の清掃や保守点検が短時間に簡易にでき、また、１人でも細かな部分まで充分に清掃や保守点検ができ、更には、熱交換コイルの内側に広い空間を確保できるから、熱交換コイル内側の清掃や保守点検が１人で短時間に簡易にできるという効果を奏する。
【図面の簡単な説明】
【図１】本発明の好適な空気調和機の実施例を中央断面図
【図２】本発明の好適な空気調和機の実施例を全体の斜視図
【図３】従来の空気調和機の断面図である。
【符号の説明】
A…天井
１…ケーシング
２… 送風路
３…熱交換コイル
４…仕切板
41…開口部
42…支持軸
５…蓋体
51…回動支持機構
52…固定手段
521…ボルト・ナットの固着具
522…閂状の固着具
６…送風機
61…ファンランナー
62…ファン駆動モータ
63…インレットコーン
７…下部開口部
71…パネル枠体
72…中央パネル
73…吹き出し口
74…回動軸
８…ロングライフフィルター
【図１】
0004619491.tif 000002
【図２】
0004619491.tif 000003
【図３】
0004619491.tif 000004